(57)【要約】【課題】  概略円形であって下側に嵌入部を形成したカレンダーシートを収容することが出来、カレンダーとして役立つ期間が過ぎた後はＣＤ、ＤＶＤ等の円盤状記録媒体を入れて保管することが出来るカレンダーケースの提供。【解決手段】  カレンダーケースはケース基部１にケース蓋部２を開閉可能に取付け、ケース基部１は概略円形の底面外周に起立した縁１１を沿設し、外周には切欠き部５，５を設け、そして下側には上記カレンダーシート７の嵌入部８が嵌る嵌合空間３を形成した継手部９を設けている。一方のケース蓋部２は概略円形の蓋面外周に起立した縁１４を沿設し、上記ケース蓋部２は大きく開いた状態でケース基部１がほぼ垂直に起立して転倒しないようにストッパー機能を備えた脚部として機能する。【選択図】    図２
2008260548.tif 000002
【特許請求の範囲】
【請求項１】
概略円形であって下側に嵌入部を形成したカレンダーシートを収容することが出来、カレンダーとして役立つ期間が過ぎた後はＣＤ、ＤＶＤ等の円盤状記録媒体を入れて保管することが出来るカレンダーケースにおいて、該カレンダーケースはケース基部にケース蓋部を開閉可能に取付け、ケース基部は概略円形の底面外周に起立した縁を沿設し、外周には切欠き部を設け、そして下側には上記カレンダーシートの嵌入部が嵌る嵌合空間を形成した継手部を設け、一方のケース蓋部は概略円形の蓋面外周に起立した縁を沿設し、上記ケース蓋部は大きく開いた状態でケース基部がほぼ垂直に起立して転倒しないようにストッパー機能を備えた脚部として機能することを特徴とするカレンダーケース。
【請求項２】
上記ケース基部の下側に設けた継手部両側には軸穴を設け、ケース蓋部の下側に形成した開口両側に延ばした縁先端部に軸部を形成し、この軸部にて継手部を挟むと共に、軸部から突出した軸ピンを軸穴に嵌めてケース蓋部を開閉可能に取付けた請求項１記載のカレンダーケース。
【請求項３】
上記ケース継手部に肉厚を薄くした継手を介してケース蓋部を開閉可能に取付けた請求項１記載のカレンダーケース。
【発明の詳細な説明】
【技術分野】
【０００１】
本発明は、円形カレンダーシートを収容することが出来るカレンダーケースに関するものである。
【背景技術】
【０００２】
カレンダーにも色々な形態があり、用途に応じて使い分けられる。その１つに卓上カレンダーが存在しているが、該卓上カレンダーとは机やテーブル上に置いて使用されるものであり、カレンダー本来の役割の他に毎日の作業日報としても機能する場合も多い。
【０００３】
特開２００６−１４２６３３号に係る「カレンダー」は、消費者への訴求力を持つカレンダーについて、不良品の発生率を低下させ、また不良品の発見率を高めることにより、消費者への訴求力を持つカレンダーを、不良品の発生・不発見に伴う信用の喪失というリスクをとることなく生産や販売などすることができるようにしている。
そこで、この卓上カレンダー は、１枚の第一用紙１と１２枚の第二用紙２とを備えている。第一用紙１には、挨拶文とＱＲコード（登録商標）とが記されている。また、第二用紙２は、第一用紙１と寸法が同一で、右上がカットされており、暦が記されている。この卓上カレンダーにおいては、第一用紙１におけるＱＲコード（登録商標）の位置と、第二用紙２におけるカット部分の位置とが一致している。
【０００４】
特開２００６−１０６２号に係る「卓上カレンダー」は、比較的薄肉な紙素材を用いて、流通時には扁平に折り畳むことができ、使用時には簡単に組み立ててカレンダーとしての機能のみならずペン立てとしての機能も適正に発揮することができ、ペン類を使い易く類別するための仕切り板も不都合なく配置することができる新規有用な卓上カレンダーである。
【０００５】
特開２００５−３２４４８２号に係る「背面式卓上カレンダー」は、一年を通して常に連続する二ヶ月分の暦葉を同時に表示できるカレンダーである。
複数枚の重ね合わせた暦葉と、この暦葉を保持する暦葉ケースとからなり、暦葉ケースは、所定の形状に型抜きされた弾性変形可能な合成樹脂シートからなり、中央折り線を挟んで二つの暦葉ケースの矩形状の保持部を設け、該保持部の四辺のうち、前記中央折り線を除く三辺には、収容される所定枚数の暦葉の厚さに対応する幅を持った平行な二本の内側折り線と外側折り腺からなる左右の側面部と底面部を夫々設け、さらに該外側折り腺の外側に表面部を設け、加えて上記二つの暦葉ケースの保持部に係止片を刻設している。
【０００６】
このように、目的に応じて色々な卓上カレンダーが知られている。ところで、これら卓上カレンダーは１年を過ぎたならば用を達して廃棄されてしまう。
【特許文献１】特開２００６−１４２６３３号に係る「カレンダー」
【特許文献２】特開２００６−１０６２号に係る「卓上カレンダー」
【特許文献３】特開２００５−３２４４８２号に係る「背面式卓上カレンダー」
【発明の開示】
【発明が解決しようとする課題】
【０００７】
このように、卓上カレンダーに限らずカレンダーの寿命は１年であり、その年が過ぎれば用を成して廃棄される。本発明が解決しようとする課題はこの問題点であり、卓上カレンダーをカレンダーシートとカレンダーケースとで構成し、このカレンダーケースをＣＤ、ＤＶＤ等の円盤状記録媒体の保管ケースと利用可能とするカレンダーケースを提供する。
【課題を解決するための手段】
【０００８】
本発明に係るカレンダーケースは概略円形のケース基部と概略円形のケース蓋部から成り、ケース蓋部はケース基部に開閉可能に取付けられている。概略円形のケース基部の外周には縁が起立して沿設され、このケース基部には複数枚のカレンダーシートを収容することが出来、ケース蓋部が重なり合って閉じられる。そして、ケース基部の継手部側には外周へ突出した嵌合空間を形成し、該嵌合空間にはカレンダーシートの下端部に形成した嵌入片が嵌って位置決めされる。
【０００９】
ところで、このカレンダーケースは次の年のカレンダーシートを収容して継続して使うこともできるが、ＣＤ，ＤＶＤ等の円盤状記録媒体を収容可能としている。そして、ケース基部には複数枚のカレンダーシートが収容されるが、用済みのカレンダーシートを取出し易くする為にケース基部の外周には切欠き部を形成している。該切欠き部では底面と共に縁が切欠かれ、この切欠き部では収容したカレンダーシートの外周部が露出した状態と成る。ＣＤ，ＤＶＤ等の円盤状記録媒体を収容した場合も同じである。
【００１０】
該カレンダーケースはそのケース基部にカレンダーシートを収容し、テーブルや机の上に載置される。この場合にケース基部が転倒しないようにケース蓋部は脚部として機能する。すなわち、ケース基部がほぼ垂直に起立した状態でそれ以上回転しないストッパー機能を備え、テーブル面に接して置かれるケース蓋部にて転倒しないように支持される
【発明の効果】
【００１１】
本発明のカレンダーケースにはカレンダーシートを収容することが出来、卓上カレンダーとして利用することが出来る。そして、カレンダー期間が経過した後は、ＣＤ，ＤＶＤ等の円盤状記録媒体を入れるケースとして使うことが出来る。勿論、円盤状記録媒体を収容して保管するか否かは各自の自由である。そして、ケース基部に収容したカレンダーシートはその下側に形成した嵌入片を嵌合空間に嵌めることで位置決めされ、円形のケース基部内を回転して向きが変わることはない。
【００１２】
カレンダーシートを収容したケース基部はケース蓋部を脚部としてほぼ垂直に起立することが出来る為に、机やテーブル面に載置される。そして、ケース基部の外周には切欠き部が形成されている為に、収容されているカレンダーシートの外周が該切欠き部にて露出する。従って、カレンダーシートは露出した外周を摘んでケース基部から簡単に取出すことが出来る。
【実施例】
【００１３】
図１は本発明に係るカレンダーケースを閉じた場合、図２はカレンダーケースが開いている場合を表している。該カレンダーケースは同図に示すように所定の厚さを有した概略円形と成っていて、ケース基部１とケース蓋部２で構成している。ケース蓋部２はケース基部１に形成した継手部９の両側を挟んで連結され、開閉することが出来る。ここで、ケース基部１及びケース蓋部２の具体的な材質は限定しないが、一般的には樹脂を成形して製作される。
【００１４】
ケース蓋部２は図１のようにケース基部１を被覆して閉じ、又、図２に示すようにケース蓋部２を開くと共にケース基部１が倒れることなくほぼ垂直に起立するように、脚部として機能することが出来る。ケース基部１は図３に示しているが、概略円形の底面外周には縁１１が起立して沿設され、中央には穴１２が貫通している。そして、外周の対向する２ヶ所は切欠かれて切欠き部５，５を有している。
【００１５】
該切欠き部５は底面１０の外周が滑らかな凹部にて切欠かれ、勿論、この切欠き部５には縁１１は存在しない。そして、ケース基部１には継手部９を設け、該継手部９には嵌合空間３を形成し、更に継手部９の両側には軸穴４，４を設けている。この嵌合空間３はケース基部１に設けている収容空間と連続した空間と成っている。
【００１６】
図４はケース蓋部２を示している実施例である。該ケース蓋部２は概略円形の蓋面１３の外周に起立した縁１４を沿設し、しかし縁１４を有しない開口１５を形成し、この開口１５の両側には縁１４を延ばして軸部１６，１６を対向して設け、該軸部１６，１６には軸ピン６，６を内側へ突出している。この両軸部１６，１６にてケース基部１の継手部９を挟むと共に、軸ピン６，６を継手部９の両側に設けている軸穴４，４に嵌めることが出来る。
【００１７】
図５はケース基部１の継手部９を両軸部１６，１６にて挟み込み、軸ピン６，６を軸穴４，４に嵌めてケース蓋部２を取付けた場合を示している。従って、ケース蓋部２は軸ピン６，６を介して回転して開閉することが出来る。ケース蓋部２を開いてケース基部１にはカレンダーシート７，７・・を収容することが出来る。
【００１８】
図６はカレンダーシート７を示す具体例であり、該カレンダーシート７は概略円形のシートであって、ケース基部１の収容空間に収容される。同図に示すようにカレンダーシート７は完全な円形ではなく、一部に嵌入部８を一体形成している。嵌入部８の底辺は直線状を成し、該嵌入部８はケース基部１の継手部９に形成される嵌合空間３に嵌る。
【００１９】
カレンダーシート７にはその月の各曜日と日が記載されているが、円形のカレンダーシート７であっても、その向きが変わらないように嵌入部８を継手部９の嵌合空間３に嵌められる。図７は本発明のカレンダーケースをテーブル上に配置した場合であり、ケース基部１にはカレンダーシート７が収容され、そしてケース蓋部２は脚部と成ってケース基部１が転倒しないように支えている。すなわち、ケース蓋部２は大きく開き、同図のようにテーブル面に接して脚部となる。ケース基部１がほぼ垂直に起立する位置で回転しないように継手部９が当って停止する。ただし、本発明のカレンダーケースはストッパー機構を同図の場合に限定するものではない。
【００２０】
図８は本発明のカレンダーケースにＤＶＤ１７を入れる場合である。ケース基部１は円形の収容空間を形成しているために、ＣＤやＤＶＤ１７を入れて保管することが出来る。この場合、１枚ではなく複数枚のＣＤ、ＤＶＤ１７，１７・・を収容できるが、間にはキズ付きを防止するためのシートを介在し、ケース基部１の底面１０、及びケース蓋部２の蓋面１３との間にもシートを挟み込む方がよい。
【００２１】
同図に示したカレンダーケースでは、ケース基部１とケース蓋部２とが独立部品として成形され、ケース基部１の継手部９にケース蓋部２を取付けて開閉可能としている。一方、ケース蓋部２を継手部９に薄肉継手を介してケース基部１と共に一体成形することも出来る。
【図面の簡単な説明】
【００２２】
【図１】本発明に係るカレンダーケースで、閉じた状態。
【図２】本発明に係るカレンダーケースで、開いている状態。
【図３】ケース基部の具体例。
【図４】ケース蓋部の具体例。
【図５】ケース基部の継手部に取付けられるケース蓋部。
【図６】カレンダーシートの具体例。
【図７】カレンダーケースをテーブル面に載置した場合。
【図８】カレンダーケースにＤＶＤを収容した場合。
【符号の説明】
【００２３】
１  ケース基部
２  ケース蓋部
３  嵌合空間
４  軸穴
５  切欠き部
６  軸ピン
７  カレンダーシート
８  嵌入部
９  継手部
10  底面
11  縁
12  穴
13  蓋面
14  縁
15  開口
16  軸部
17  ＤＶＤ
【図１】
2008260548.tif 000003
【図２】
2008260548.tif 000004
【図３】
2008260548.tif 000005
【図４】
2008260548.tif 000006
【図５】
2008260548.tif 000007
【図６】
2008260548.tif 000008
【図７】
2008260548.tif 000009
【図８】
2008260548.tif 000010